(57)【特許請求の範囲】
【請求項１】
打撃部とグリップ部とグリップ部よりも大径のグリップエンドとを備えたバットにおいて、
フォーム矯正具が前記グリップエンド後面よりもバットの軸線方向後方に突出して設けられ、
前記フォーム矯正具は、正しいスイング時には身体に接触せず、悪癖あるスイング時には身体に接触する長さ、又は、使用者の手首から肘関節までの長さと同程度の長さである、
ことを特徴とするフォーム矯正具付きバット。
【請求項２】
請求項１記載のフォーム矯正具付きバットにおいて、
グリップエンドの少なくともグリップ部側が外部に露出している、
ことを特徴とするフォーム矯正具付きバット。
【請求項３】
請求項１又は請求項２記載のフォーム矯正具付きバットにおいて、
フォーム矯正具とバットが一体である、
ことを特徴とするフォーム矯正具付きバット。
【請求項４】
請求項１又は請求項２記載のフォーム矯正具付きバットにおいて、
フォーム矯正具とバットが別体であり、両者は連結具で固定されている、
ことを特徴とするフォーム矯正具付きバット。
【請求項５】
請求項４記載のフォーム矯正具付きバットにおいて、
バットは、その内部にフォーム矯正具を収納可能な収納空間を備え、
前記収納空間内にフォーム矯正具を出し入れ可能である、
ことを特徴とするフォーム矯正具付きバット。
【請求項６】
請求項１乃至請求項５のいずれかに記載のフォーム矯正具付きバットにおいて、
フォーム矯正具が悪癖あるスイングにより身体に接触したことを報知するチェック機能、又は／及び、報知機能を備えた、
ことを特徴とするフォーム矯正具付きバット。
【請求項７】
請求項１乃至請求項６のいずれかに記載のフォーム矯正具付きバットにおいて、
フォーム矯正具は、身体への接触により変形可能、屈曲可能、回転可能な構造、又は／及び、材質製である、
ことを特徴とするフォーム矯正具付きバット。
【請求項８】
バットのグリップエンドよりもバットの軸線方向後方に突出してバットに取付けられるバットのフォーム矯正具であって、
前記フォーム矯正具は、バットを正しくスイングした時には身体に接触せず、悪癖あるスイングをした時に身体に接触する長さ、又は、使用者の手首から肘関節までの長さと同程度の長さである、
ことを特徴とするバット用フォーム矯正具。
【請求項９】
請求項８記載のバット用フォーム矯正具において、
フォーム矯正具が身体への接触により変形可能、屈曲可能、回転可能な構造、又は／及び、材質製である、
ことを特徴とするバット用フォーム矯正具。
【発明の詳細な説明】
【技術分野】
【０００１】
本願発明は、野球、ソフトボール、ゴルフといったスポーツにおける打撃フォーム改善に役立つスポーツ用打撃具と、スポーツ用打撃具に装着可能なフォーム矯正具に関するものである。
【背景技術】
【０００２】
従来から、野球、ソフトボール、ゴルフといったスポーツでは、種々の打撃フォーム改善用練習具が開発されている。その一例として練習用バットがある。それはバット本体を正規のものより長く或いは短くしたもの、重量を重く或いは軽くしたもの、重心移動用の錘を内蔵したものが主である。練習用補助具としてはグリップエンド用ゴムアール、グリップテープ等々がある。この他にも、引き手グリップとヘッド部とを離してロッドにより連結し、押し手グリップを引き手グリップとヘッド部との間にロッドに沿って往復移動可能に配設して、押し手と引き手の使い方にポイントをおいたものもある（特許文献１）。
【０００３】
【特許文献１】特開２００４−３２９５４１号公報
【発明の開示】
【発明が解決しようとする課題】
【０００４】
１．人それぞれに癖があり、体格、体力、年齢等の差があるため、前記練習具では、正しいスイングの習得は困難であり、根本的な打撃フォームの矯正は難しかった。
２．前記特許文献のスイング矯正用バットは、手の使い方の改善にポイントがおかれているため、手から腕にかけての使い方を身につけるには有効であったが、手や腕の使い方に意識が集中しがちであり、正しいスイングを行う上で特に重要な体全体の使い方の改善、習得は難しかった。また、スイング矯正専用のバットであるため試合用のバットとは別に購入しなければならず経済的負担が大きかった。
【０００５】
本願発明の課題は、スイングの悪癖を修正でき、バットをスムーズに振りぬくスイングを習得でき、手の使い方のみならず、腕や体全体の使い方を身につけることによって、スイングフォームの改善に役立つスポーツ用打撃具とそのスポーツ用打撃具に取付け可能なフォーム矯正具を提供することにある。
【課題を解決するための手段】
【０００６】
プロ野球選手の経歴を持ち、現在は野球に関する技術及び心身の向上を目的に野球塾を開校している本発明者は、日々、塾生たちを指導する中で、どうしてもバッティングフォームが好転しない少年達がいることに気が付いた。本発明者はこれら少年達のバッティングフォームの改善について種々研究を重ねた。その一つとして、バットのグリップエンド下方に棒を紐で結び付けてスイングの練習をさせた。棒を結び付ける目的は、悪癖のあるフォームでスイングすると前記棒が身体の一部に接触して、正しくスイングされていないことを一目で確認できるようにするためである。棒を付けたバットを使用して練習をするうちに、これまでどうしても修正されなったバッティングフォームが改善され、打力が大きく伸びるようになった現実を体得し、他の少年にも試してみたところ、個人差はあるものの、同等の効果が見られた。本願発明は本発明者の前記知見に基づいて種々研究を重ねて開発されたスポーツ用打撃具である。
【０００７】
本願発明のスポーツ用打撃具は、請求項１記載のように打撃部とグリップ部とグリップ部よりも大径のグリップエンドとを備えたバットにおいて、フォーム矯正具が前記グリップエンド後面よりもバットの軸線方向後方に突出して設けられ、前記フォーム矯正具は、正しいスイング時には身体に接触せず、悪癖あるスイング時には身体に接触する長さ、又は、使用者の手首から肘関節までの長さと同程度の長さであることを特徴とする。請求項２記載のように、グリップエンドの少なくともグリップ部側が外部に露出するようにすることもできる。請求項３記載のように、フォーム矯正具とバットを一体のもとすることも、請求項４記載のように、フォーム矯正具とバットとを別体として、両者を連結具で固定することもできる。請求項５記載のように、フォーム矯正具とバットとを別体とした場合、バットの内部にフォーム矯正具を収納可能な収納空間を設け、その収納空間内にフォーム矯正具を出し入れ可能とすることもできる。請求項６記載のように、フォーム矯正具付きバットには、フォーム矯正具が悪癖あるスイングにより身体に接触したことを報知するチェック機能、又は／及び、報知機能を設けることもできる。請求項７記載のように、フォーム矯正具を、身体への接触により変形可能、屈曲可能、回転可能な構造、又は／及び、材質製とすることもできる。
【０００８】
本願発明のフォーム矯正具は、請求項８記載のように、バットのグリップエンドよりもバットの軸線方向後方に突出してバットに取付けられるバットのフォーム矯正具であって、前記フォーム矯正具は、バットを正しくスイングした時には身体に接触せず、悪癖あるスイングをした時に身体に接触する長さ、又は、使用者の手首から肘関節までの長さと同程度の長さであることを特徴とする。この場合、請求項９記載のように、フォーム矯正具は、身体への接触により変形可能、屈曲可能、回転可能な構造、又は／及び、材質製とすることもできる。
【発明の効果】
【０００９】
本願発明のスポーツ用打撃具及びフォーム矯正具には次のような効果がある。
（１）スポーツ用打撃具にフォーム矯正具がグリップエンドの後方に突出して設けられているので、スポーツ用打撃具がバットの場合、正しいスイングをせずに手打ちになってバットがスムーズに出ない場合は、フォーム矯正具が正常な軌道を描くことができず、右バッターの場合は、フォーム矯正具が左腕の肘に接触し、腕の伸び具合によっては腹部又は股関節付近に接触するため、自己のスイングの良否及び修正部分を即座に判断することができる。このため、本願発明のスポーツ用打撃具を使用して日々スイングの練習をすることにより、理論では習得しにくいフォーム矯正が実現可能となる。
（２）フォーム矯正具が身体のどの部分に触れたかによって自己のスイングの癖を見抜くことができる。例えば、腕の一部に触れた場合は腕が下がりすぎていることを、脇腹近辺に触れた場合は体が開き過ぎていること等を把握することができるので、フォーム矯正具が体に触れないようなスイングを心がけることで、体全体の使い方を自然と身につけることができる。
（３）フォーム矯正具を連結具によりグリップ部に脱着自在とした場合、一つのスポーツ用打撃具にフォーム矯正具を連結した場合は練習用として、それを取外せば公式試合用として使用できるため経済的負担が軽くなる。
（４）バットの中空のグリップ部又は打撃部内にフォーム矯正具を押し込んで内蔵すればそのまま公式試合で使用することが出来、引き出せばフォーム矯正の練習に使用することができる。また、押し込めば持ち運びの際にフォーム矯正具が邪魔になることもなく、不用意に紛失することもない。
（５）フォーム矯正具はスポーツ用打撃具と別に製作しておき、それをスポーツ用打撃具に手軽に取付けることができる。
【発明を実施するための最良の形態】
【００１０】
（実施形態１）
本願発明の実施形態の一例として、スポーツ用打撃具が野球用或いはソフトボール用のバットの場合について図面を参照して説明する。図１に示すバット１は打撃部２とグリップ部３を備えている通常の木製或いは金属製のバットであり、そのグリップ部３にフォーム矯正具４がグリップエンド５の軸方向後方に突出して設けられている。このフォーム矯正具４はグリップ部３と一体に成形することも、別体に成形したものを固定することもできる。別体の場合は、バット１が木製の場合はフォーム矯正具４も木製にし、それを接着剤でグリップ部３に接着することができる。バット１が金属製の場合はフォーム矯正具４も金属製にして熔接とか他の固定手段で固定することができる。
【００１１】
前記フォーム矯正具４はグリップ部３とほぼ同じ太さ細長丸棒或いは丸パイプ（以下これらを「丸棒状」という。）であり、その終端部６を大径にしてある。フォーム矯正具４の長さは使用者の身長や腕の長さ等に合せて各種寸法にすることができるが、正しいスイングをしたときは身体に接触せず、悪癖あるスイングをすると身体に接触する長さにするのがよく、一例としては使用者の手首から肘関節までの長さと同程度が好ましい。フォーム矯正具４の太さは使用者が使い易いように各種太さのものを用意することができる。
【００１２】
（実施形態２）
本願発明のスポーツ用打撃具の第２の実施形態を図２（ａ）〜（ｃ）に示す。これはフォーム矯正具４をバット１とは別に成形し、それをバット１のグリップエンド５に連結軸７を介して取付けたものである。グリップ部３とフォーム矯正具４の内部には前記連結軸７を挿入可能な径の挿入孔８、９が開口されており、これら挿入孔８、９は連結軸７を差し込み可能な深さにしてある。連結軸７は挿入孔８、９に圧入して固定したり、接着剤で固定したりすることができる。
【００１３】
図２（ａ）のフォーム矯正具４はバット１のグリップ部３と同程度の太さの丸棒状であり、その先端に接合鍔４ａが設けられ終端部６を大径にしてある。フォーム矯正具４は角棒状、楕円形の棒状、球状、バネ状、その他の各種形状とすることもできる。フォーム矯正具４は打撃部２の材質と同じ材質製とするのが好ましく、木製、金属製とすることができる。木製の場合は新しい木材で作ることもできるが、破損、折損等した使用済みのバット１の打撃部２側やグリップ部３側を削って成形したものを利用することもできる。この場合はフォーム矯正具４を作るために新しい木材を用意する必要がなく、他に用途のない使用済みバットを有効利用できるので製作が容易であると共に環境問題の改善にも貢献できる。フォーム矯正具４は硬質樹脂製、軟質樹脂製、ゴム製といった各種材質製とすることができる。軟質樹脂製、ゴム製の場合は身体に接触すると変形可能であるため、接触時の衝撃が緩和される。フォーム矯正具４はグリップ部３に固定するのではなく、回転可能に取付けることもできる。この場合は身体への接触時に回転して接触時の衝撃が緩和される。フォーム矯正具４は身体への接触時に屈曲するような構造であっても良い。この構造の場合も身体への接触時に屈曲して接触時の衝撃が緩和される。
【００１４】
前記連結軸７は図２（ｃ）のように雄ネジ（例えばスタッドボルト）にし、挿入孔８、９の内周面を雌ネジにして、連結軸７を挿入孔８、９にねじ込んで連結可能とすることもできる。この場合、連結軸７をスペンサー・カラー（スペーサ）１０にねじ込んで貫通させ、その連結軸７の両端を前記ネジ式の挿入孔８、９にねじ込むことによりスペーサ１０をグリップエンド５とフォーム矯正具４の間に挟むことができる。この場合、厚さの異なるスペーサ１０を入れ替えることによりフォーム矯正具４の長さを調節することができ、重さの異なるスペーサ１０を入れ替えることによりフォーム矯正具４の重さを調節することができる。
【００１５】
フォーム矯正具４のグリップ部３寄りの位置には図２（ｃ）のように取付け孔１１を横向きにあけてある。この取付け孔１１はネジ孔にして補助矯正具２３をねじ込むことができるようにしてある。取付け孔１１はネジ孔にせずに補助矯正具２３を圧入により取付けられる径の孔であってもよい。この取付け孔１１にねじ込んだ又は取付けた補助矯正具２３をフォーム矯正具４の外側に突出させることにより、この補助矯正具２３をもフォーム矯正に利用することができる。
【００１６】
（実施形態３）
本願発明のスポーツ用打撃具の第３の実施形態を図３（ａ）〜（ｃ）に示す。この実施形態は金属製のバット１のグリップエンド５に金属製のフォーム矯正具４をスライド可能に取付けたものである。バット１の内部にはその軸方向に収納空間１２を設け、フォーム矯正具４は収納空間１２内に差込み可能な太さの細長丸棒状であり、その軸方向先端側と終端側の外周面に嵌合溝１３ａ、１３ｂが形成されている。バット１のグリップエンド５にはフォーム矯正具４を所定の押込み位置に停止するため係止具１４が内蔵されている。係止具１４には各種構造、機能のものを使用可能であるが、図３（ａ）（ｂ）に示した係止具１４はボールプランジャーであり、ケース１５内に圧縮スプリング１６が内装され、その先に金属製のボール１７が配置されており、ケース１５がグリップエンド５の横孔１８内に固定されて、圧縮スプリング１６でボール１７をフォーム矯正具４の外周面に押しつけるようにしてある。前記圧縮スプリング１６の後方にはネジ１９がねじ込まれており、そのネジ１９の締め付け、緩めにより前記圧縮スプリング１６を伸縮させてボール１７を押す強度を調節できるようにしてある。フォーム矯正具４は図３（ａ）のように収納空間１２内に押込むと終端側の嵌合溝１３ｂに前記ボール１７が嵌合してその位置に固定され、図２（ｂ）のように収納空間１２から引出すと先端側の嵌合溝１３ａと前記ボール１７が嵌合してその位置に固定されるようにしてある。嵌合溝１３ａ、１３ｂは三本以上にしてフォーム矯正具４の押し込み、引出し位置を多段に切替えて、フォーム矯正具４の突出長を調節することもできる。係止具１４を図３（ｃ）に示すようにグリップエンド５の周方向二箇所に設けると、両係止具１４のボール１７がフォーム矯正具４の一本の嵌合溝１３ａ、１３ｂの周方向二箇所に嵌合するためフォーム矯正具４の固定が安定する。
【００１７】
フォーム矯正具４の終端部６には図３（ｂ）のように摘み２２を設けることもできる。この摘み２２は手で摘んでフォーム矯正具４の押込み、引出しを容易にするためのものである。摘み２２はフォーム矯正具４にネジ式で脱着可能としてあり、図３（ａ）のようにフォーム矯正具４を収納空間１２内に押し込んでから取外せばグリップエンド５の外に突出するものがなくなるため、通常のバットと同様に使用することができ、公式戦でも使用可能となる。摘み２２はフォーム矯正具４と一体に成形することもできる。摘み２２はスイングにフォーム矯正具４が身体に触れたときに、衝撃を緩和する保護具（安全具）の役割もある。摘み２２はつまみ易いサイズ、形状とすることができ、材質も、木製、金属製、プラスチック製、ゴム製など任意のものを選択できる。摘み２２はスイング時に身体に接触したときの安全性を考慮すればゴム、プラスチック等の軟質材製のものが適し、この場合は安全具の役割もする。図３（ｂ）のフォーム矯正具４にも補助矯正具２３を取付るための取付け孔１１が横向きに開口されている。取付け孔１１は有っても無くてもよい。
【００１８】
（実施形態４）
本願発明のスポーツ用打撃具の第４の実施形態を図４（ａ）（ｂ）に示す。この実施形態はバット１のグリップエンド５とフォーム矯正具４の接合鍔４ａを突合せ、その突合せ部分の外周に開閉式のリング状のカップリング（連結具）２０を被せ、連結具２０の開口部両端の接合片２０ａ、２０ｂを突き合わせ、両接合片２０ａ、２０ｂをビス２１で締め付けて前記グリップエンド５と接合鍔４ａを固定したものである。この場合、リング状の連結具２０の上縁部２０ｃが下方に湾曲し、下縁部２０ｄが上方に湾曲した断面形状半円弧状のものを使用することにより、グリップエンド５と接合鍔４ａが連結具２０から抜けないようにしてある。この場合、必要であれば、図２（ａ）のようにバット１のグリップエンド５とフォーム矯正具４を連結軸７で連結してから、更に、連結具２０を被せて連結することもできる。
【００１９】
（実施形態５）
本願発明のスポーツ用打撃具の第５の実施形態を図５（ａ）（ｂ）に示す。これはバット１とフォーム矯正具４をジョイント２５で連結し、フォーム矯正具４をスプリングロッドとしたものである。ジョイント２５は開閉式のリング状のカップリング（連結具）２６の下に筒状連結具２７が連結されており、連結具２６はバット１のグリップエンド５の外周に被せて開口部両端の接合片２６ａ、２６ｂを突き合わせ、両接合片２６ａ、２６ｂをビス２８で締め付けて前記グリップエンド５に固定することができる。筒状連結具２７はその内部縦方向にネジ孔３５が開口されており、そのネジ孔３５にフォーム矯正具４の上端側をねじ込み、ロックナット２９を締め付けてバット１のグリップエンド５に連結してある。フォーム矯正具４の後端には球状の摘み２２がネジ式で取付けられている。スプリングロッドの材質、巻き径、硬さ等は任意に選択可能であるが、材質の一例としてはＳＵＳがある。スプリングロッドを使用することによりスイング時にフォーム矯正具４が身体に触れても衝撃が緩和され安全性が確保される。
【００２０】
（実施形態６）
本願発明のスポーツ用打撃具の第６の実施形態を図６（ａ）〜（ｃ）に示す。これはバット１とそれと別体のフォーム矯正具４とを磁石３０で連結する例である。磁石３０はグリップエンド５とフォーム矯正具４の接合鍔４ａの夫々に固定しておき、グリップエンド５と接合鍔４ａを突合せることにより、両磁石３０の吸着力でフォーム矯正具４がグリップエンド５に連結されるようにしてある。磁石３０はフォーム矯正具４の接合鍔４ａ及びバット１のグリップエンド５に設けた収容凹部３１、３２に内蔵して、前記接合４ａとグリップエンド５の突合せの邪魔にならないようにするのがよい。磁石３０はバット使用中にフォーム矯正具４が不用意に脱落することのないように磁力の強いものを使用する必要があり、例えば、ネオジウム磁石やコバルト磁石が適する。
【００２１】
バット１が金属バットの場合はフォーム矯正具４の接合鍔４ａにだけ磁石３０を固定しておくだけでもバット１とフォーム矯正具４が吸着連結されるが、バット１とフォーム矯正具４の双方に磁石３０を固定しておくこともできる。金属バットの場合は、図６（ｃ）に示すように、金属製のグリップ部３の終端に磁石３０を固定し、その外側から磁石３０を被覆して金属製のグリップエンド５を被せグリップエンド５の上周縁部５ａをグリップ部３の外周面に熔接して固定する。金属製のフォーム矯正具４への磁石３０の取付けは図６（ｃ）に示すように、その接合鍔４ａの収容凹部３２に収容し、その磁石３０の中心部のネジ孔３３にビス３４をねじ込んで固定しておく。この場合、図６（ｃ）のようにグリップエンド５の底面中央部５ｂを開口させておくと磁力線が通り易くなって両磁石３０同士が吸着し易くなる。
【００２２】
（実施形態７）
本願発明のスポーツ用打撃具の第７の実施形態を図７に示す。図２〜図６に示した実施形態は、バット１のグリップ部３にそれと別体に成形されているフォーム矯正具４を取付ける場合であるが、この実施形態は、フォーム矯正具４とグリップ部３を一体にしたグリップ一体フォーム矯正具４０を成形しておき、そのグリップ３をバットの打撃部２に連結する例である。この場合の連結は連結軸７を挿入孔８、９に差し込んで連結するとか、図示されていないネジシャフトや磁石で連結するとか、熔接で固定することができる。いずれの場合もグリップ一体フォーム矯正具４０がバット使用中に脱落しないように連結する。
【００２３】
（実施形態８）
フォーム矯正具４は重量や長さを調節できるようにしたり、それを連結することによりバット１の重心位置を調節することもできる。例えば、重量調節はフォーム矯正具４の内部を空間にしておき、その内部空間に砂や水を入れることにより行うことができる。長さ調節はフォーム矯正具４を伸縮式にすることにより或いはバットへの押し込み長をネジ式で可変なものとすることにより行うことができる。前記重心位置の調節はフォーム矯正具４の終端部６の先に錘をつけておき、その錘を前後移動可能とすることにより行うことができる。錘の前進後退はネジ式とか他の任意の方法で行うことができる。このような調節機構によりスイングする人の体型や使用目的に合わせて重量、長さ、重心位置を調節することができるだけでなく、スイングフォームの矯正と同時に筋力の強化を図りたい人はフォーム矯正具４の内部空間内に水や砂等を入れて通常よりも高い負荷をかけた練習を行うことができる。フォーム矯正具４はゴム、樹脂等の弾性材製、軟質材製とすることもでき、それらを使用した場合はフォーム矯正具４が体に接触しても体に傷が付きにくいので怪我の心配をすることなく練習することができる。
【００２４】
（実施形態９）
前記いずれの実施形態の場合もフォーム矯正具４にスイング時のフォームをチェックするためのチェック機構を設けることができる。チェック機構はバットを振ったとき（スイング時）にフォーム矯正具４が身体と接触或いは身体に必要以上に接近する（悪いスイング時）にその接触又は接近を感知して、視覚、聴覚に訴える信号を発信できるものがよい。例えばセンサと報知器を使用し、それらをフォーム矯正具４や前記摘み２２等に取付けておき、スイング時にセンサが前記接触又は接近を感知すると前記報知器が作動して報知することができる。このようなチェック機能を設けることにより、スイングした本人が自分でフォームをチェックしながら素振り練習をすることができる。この場合、センサと報知器を二以上の箇所に取付けておけば、どの報知器が作動したかにより、フォーム矯正具４が身体のどの部分に接触又は接近したかを知ることができ、それによりスイングの癖を知ることもできる。前記報知は光と音のいずれか一方だけでもよく双方でもよい。チェック機構はセンサが無くとも、フォーム矯正具４が身体に接触すると発光したり音が出るようにしたものであってもよい。
【００２５】
チェック機構としてカウンタ（加算器）を使用し、それをフォーム矯正具４に取付けておくこともできる。カウンタとしてはバット１を振るたびに数値が加算されるカウンタと、バット１を振ったときにフォーム矯正具４が身体と接触或いは身体に必要以上に接近するたびに加算されるカウンタとの双方として、素振りの回数と、悪いスイングの回数が表示器に表示されるようにし、素振りの回数に対する悪いスイングの回数（率）を知ることもできる。また、報知器は光や音以外のものであってもよく、例えば、振動を利用することもできる。その場合は、センサの感知時にバイブレータ（振動体）が振動するようにしておく。振動方式にすればスイングした人だけが振動を感知して自分のスイングフォームの癖を他人に知られずに修正することができる。
【００２６】
フォーム矯正具４には前記センサで感知した接触回数やスイング回数等の練習データを記録する記録装置及び記録されたデータを表示するための表示部を設けることもできる。これにより、使用者のスイングフォームの改善状況を把握することができ、効果的な練習の一助となる。
【００２７】
本願発明の要旨を超えない範囲であれば、フォーム矯正具４は組み合わせを変えて使用することができる。例えば、前記実施形態７では、フォーム矯正具４がスプリングロッドの場合を例として説明しているが、丸棒状、角棒状、楕円形の棒状等他のフォーム矯正具４を使用することもできる。同様に、実施形態７以外の実施形態では、フォーム矯正具４が丸棒状、角棒状、楕円形の棒状等の場合を例にして説明しているがスプリングロッドをフォーム矯正具４として使用することもできる。
【００２８】
本発明のスポーツ用打撃具を使用して打撃試験を実施した。その状況と成果の一例を以下に説明する。
１．試験期日：平成１９年１２月２３日〜平成２０年３月２０日
２．試験場所：さいたま市岩槻区府内２−１−１０  アーデルバッティングドーム内
３．試験者  ：高見澤  考史（元オリックスブルーウェーブ外野手）
：岡  隆一
：少年Ａ（１０歳）：アーデルバッティングドーム野球塾生徒）
：少年Ｂ（１５歳）：同上
：成  人（２９歳）：同上
４．試験要領
（１）練習用の規格バットにて普段どおりに素振り２０本を行う。そのバットでバッティングマシンより投げ込まれる７０〜１３０ｋｍ／時のボールを夫々の試験者が打ってフォーム、癖をチェックする。
（２）次に、グリップエンドの終端部にフォーム矯正具を装着した本願発明のスポーツ用打撃具を使用して素振り２０本を行い、そのバットで前記と同じバッティングマシンより投げ込まれる７０〜１３０ｋｍ／時のボールを夫々の試験者が打って、前記（１）の場合と比較する。
５．試験方法
通常使うバットと直径２０×長さ１５０の棒を用意し、それをビニルテープでグリップに装着したバットを用意して比較する。
６．試験結果
（１）前記高見澤の場合、規格バットとフォーム矯正具を装着したバットが共に身体に触れることなく通常のスイングができた。
（２）前記岡の場合、規格バットの場合はアッパースイング（バットのヘッドが下方を向き脇が開きすぎるスイング）気味。フォーム矯正具を装着したバットを普通に素振りしようとすると、手首から肘の間でフォーム矯正具が身体に触れるため、触れないように素振りしようとすると、バットが平行から上になった。
（３）前記少年Ａの場合、規格バットの場合はバットスイングが大きい（ボールがぶつかるまでの時間が長い）。フォーム矯正具を装着したバットを普通に素振りしようとすると、手首から肘の間でフォーム矯正具が身体に触れるため、触れないように素振りしようとすると、ボールにぶつかるまでの時間が短くなり、コンパクトなスイングになった。
（４）前記少年Ｂの場合、規格バットの場合は前記岡と同じくアッパースイング気味で脇の開きが目立った。フォーム矯正具を装着したバットを普通に素振りしようとすると、手首から肘の間でフォーム矯正具が身体に触れるため、触れないように素振りしようとすると、バットのヘッドが平行から上になり、開き気味だった脇の無駄な動きが無くなった。
（５）前記成人の場合、規格バットでも比較的コンパクトなスイングだった。フォーム矯正具を装着したバットを普通に素振りしても身体に触れることはなかったが、意識して素振りすることにより、コンパクトになり、ボールを正確に捉える確立が上がった。
（６）全員に共通して、規格バットとフォーム矯正具の付いたバットでは、見てわかるほどの変化が見られ、コンパクトなスイングになり、ボールを正確に捉える確立が上がった。
【産業上の利用可能性】
【００２９】
前記実施形態では本願発明のスポーツ用打撃具についてバットの場合を例にして説明したが、本願発明のスポーツ用打撃具は要旨を逸脱しない範囲内であれば、他のスポーツ用打撃具、例えばテニスラケット、ゴルフクラブといった各種スポーツ用品に応用することができる。
【図面の簡単な説明】
【００３０】
【図１】本願発明の実施形態の一例であって、野球用バットとフォーム矯正具が一体であるスポーツ用打撃具の正面図。
【図２】フォーム矯正具を連結軸を介してバットに連結した場合の例であって、（ａ）はフォーム矯正具をバットに連結した状態を示す正面図、（ｂ）は（ａ）の分解説明図、（ｃ）はフォーム矯正具をスペーサを挟んでネジシャフトで連結する場合の一例を示す説明図。
【図３】フォーム矯正具をバットのグリップにスライド式で押し込み、引き出し可能としたスポーツ用打撃具の一例であり、（ａ）はフォーム矯正具を収納空間内に押し込んだ状態の断面図、（ｂ）はフォーム矯正具を収納空間内から引き出した状態の断面図、（ｃ）は係止具の配置例を示す平面図。
【図４】（ａ）はフォーム矯正具を連結具で連結する場合の側面図、（ｂ）は連結具の一例を示す平面図。
【図５】（ａ）はフォーム矯正具がスプリングロッドの場合の一例を示す側面図、（ｂ）はジョイントの平面図。
【図６】野球用バットを磁石で連結する場合の例であり、（ａ）はフォーム矯正具を取付ける前の説明図、（ｂ）は連結状態の正面図、（ｃ）は磁石取付け状態の詳細図。
【図７】グリップ一体フォーム矯正具をバットの打撃部に連結する場合の一例を示す分解説明図。
【符号の説明】
【００３１】
１  バット
２  打撃部
３  グリップ部
４  フォーム矯正具
４ａ  接合鍔
５  グリップエンド
５ａ  上周縁部
５ｂ  底面中央部
６  終端部
７  連結軸
８、９  挿入孔
１０  スペーサ
１１  取付け孔
１２  収納空間
１３ａ  嵌合溝（先端側）
１３ｂ  嵌合溝（終端側）
１４  係止具
１５  ケース
１６  圧縮スプリング
１７  ボール
１８  横孔
１９  ネジ
２０  カップリング（連結具）
２０ａ  接合片
２０ｂ  接合片
２０ｃ  連結具の上縁部
２０ｄ  連結具の下縁部
２１  ビス
２２  摘み
２３  補助矯正具
２５  ジョイント
２６  連結具
２６ａ、２６ｂ  連結部の接合片
２７  筒状連結具
２８  ビス
２９  ロックナット
３０  磁石
３１、３２  収容凹部
３３  ネジ孔
３４  ビス
３５  筒状連結具のネジ孔
４０  グリップ一体フォーム矯正具
【要約】
【課題】  手の使い方のみならず腕や体全体の使い方を見につけることによって、スイングフォームを改善可能なスポーツ用打撃具を提供する。
【解決手段】
打撃部とグリップ部を備えるスポーツ用打撃具であって、打撃具はグリップ部の端から長手方向外側に突出するフォーム矯正具を備えるものである。フォーム矯正具とグリップ部とを別体として両者を連結具により脱着可能とすることも、両者を一体成形することもできる。グリップ部又は／及び打撃部を中空にしてその中にフォーム矯正具を押し込み、引き出し可能とすることもできる。
【選択図】図１【図１】
0004320047.tif 000002
【図２】
0004320047.tif 000003
【図３】
0004320047.tif 000004
【図４】
0004320047.tif 000005
【図５】
0004320047.tif 000006
【図６】
0004320047.tif 000007
【図７】
0004320047.tif 000008